Podtech/llm-jp-corpus-v4-ja_patent huggingface dataset:
(57)【要約】      （修正有）【課題】汚れても容易に取り外して洗浄・再利用することができるスリッパー用中敷シートを提供する。  【解決手段】室内用スリッパーに脱着可能な中敷シートを用いることで汚れた時点で取り外して洗浄再使用することができ常に新鮮で衛生的な感触を楽しむことができ、スリッパーの寿命を延ばすことができる。また、中敷シートを抗菌素材を使用したり表面に指圧効果のある突起物を設けるなどして健康趣向のスリッパーを低コストで実現できる。【選択図】図１
0003144186.tif 000002
【実用新案登録請求の範囲】
【請求項１】
スリッパーに脱着可能な多目的用中敷シートを設けた２重構造スリッパー。
【考案の詳細な説明】
【技術分野】
【０００１】  室内用スリッパーに脱着可能な中敷シートを設けた構成の２重構造のスリッパーであり、中敷シートを用いることで足裏による汚れは中敷シートを外して洗浄し再使用することができるため常に新鮮な感触を保ちスリッパー本体の寿命を延ばすことができる、また、中敷シートを抗菌性素材としたり突起物を設けるなどして足裏の衛生を保ち指圧効果が得られる健康趣向の製品となる。このように中敷シートを用いることでスリッパーの概念を変え市場の活性化を図ることができる。
【背景技術】
【０００２】  家屋の洋式化によりスリッパーは不可欠な必需品となっている、室内スリッパーの効用は足裏を汚さないことや足裏の感触を一定に保つためのもので、冬場を除いては殆ど素足で使用するが素足の場合には体質差はあるものの短期間で接触面の汚れや臭いが付着し廃棄してしまうなど経済的にも資源的にも課題が有った、こうしたスリッパーの弱点を解決するために脱着可能な中敷シートを使用しスリッパー本体の長期使用を実現しようとしたものである。
【考案の開示】
【考案が解決しようとする課題】
【０００３】    スリッパーは季節にもよるが一般には素足で使用する場合が多いが汚れがひどくなると素足の使用を避ける傾向になる、そのためスリッパーは常に新鮮な感触で使用したいのは誰もの願いであるが、実際には足裏の接触面だけが短時間で汚れが激しく本体は完全な形態を保ちながら短期間で破棄されてしまう、本考案はこうした無駄に近い使い方を少なくするために汚れの激しい足裏の接触面に脱着可能な中敷シートを使用し汚れたら取り外して洗浄再使用することで常に新鮮で衛生的なスリッパーとして感触を楽しむことができる、また、中敷シートに抗菌素材を使用するとか表面突起物を設けるなどした健康趣向の中敷シートを用意して交換使用することもできる。
【課題を解決するための手段】
【０００４】  スリッパーと中敷シートとを重合固定する方法は、ポリ系繊維で織り込まれたフックとループの接合シート（商品名；メカニカルファスナー）をそれぞれの踵の位置に接着する、接合シートは裏面に粘着剤が塗布され保護シートで被覆された状態のものをセット時に保護シートを剥いで接着するだけの簡単な手作業で完了する。
【考案の効果】
【０００５】  前記、脱着可能な中敷シートを使用することでスリッパーを多目的に使用することができる、具体的には中敷シートを抗菌性素材で製作する、また、中敷シートの表面に複数の突起物を設け指圧効果を促すなどであるが、更に、先端指の部分を抗菌性又は赤外線放射素材等で包み込む形態にして、水虫の繁殖を押さたり血行を促すなどのより効果てきな構成により付加価値を高めることができる、このようにスリッパー本体とは分離して独立した構成によって中敷シートを用いることでニーズに答え、限定した範囲の部品化により低コストが図れる。
【考案を実施するための最良の形態】
【０００６】  市販スリッパー専用に使用する薄型の中敷シートとは別に、前記、多様な目的に使用する中敷シートは多少形態及び厚みが増す場合が多いことからスリッパー本体を新規に製作することになる、但し、新規に制作するスリッパーの形態は多目的な使途であっても共通したサイズで統一することが望ましい。
【実施例】
【０００７】  図１は、市販スリッパー１に適応する中敷シート２で、踵部分に接合ファスナーフックシート３を接着し、同様にスリッパーの踵部分に接合ファスナーループしー４を接着してから重合し一体化した模式図である。
【産業上の利用可能性】
【０００８】  スリッパーは一般的に使い捨て商品でありリサイクルはできない、そのため外観の汚れや損傷がなくても足裏の接触部分がすり減ったり油臭がしみ込む太政体で廃棄するケースが多い、本考案は市販のスリッパーに脱着可能な中敷シートを重合し汚れたら取り外して洗浄し再使用する交換部品ととすることでスリッパーの寿命を延ばすことができる、また、中敷シートの表面に突起物を設け指圧効果を持たせる方法や抗菌素材を使用するなど健康趣向目的とする場合には、スリッパー本体も新規形態としなければならないが、どちらにしても新しい使用方法によってスリッパー市場の拡大を図ることができる。
【図面の簡単な説明】
【０００９】
【図１】市販スリッパーに中敷シートを重合した模式図。
【図２】中敷シートの模式図。
【符号の説明】
【００１０】１．  室内用スリッパー
２．  中敷シート
３．  接合ファスナー（フック）
４．  接合ファスナー（ループ）
【図１】
0003144186.tif 000003
【図２】
0003144186.tif 000004
(57)【要約】      （修正有）【課題】多面体形状のケースのように、側壁と正面のつなぎ目の部分が目立ち、仮に一体成型でつなぎ目を丸くしたとしても、余分な影が生じてケースの存在が目立つことがない観賞用透明密封容器を提供する。【解決手段】蓋部分の断面を円形または楕円形の一部（実施例では半円形）にする事で、内部の展示物に対して余分な影が生じなく、ケースの存在が目立たなくなる。密閉性を高めるため、蓋部と底部が互いに接する部分を平滑に仕上げ、公知の固定手段により圧着する。底部を凹面に加工することも有効である。【選択図】図１
0003144182.tif 000002
【実用新案登録請求の範囲】
【請求項１】
透明なガラス又は合成樹脂製の適度な厚みを持った蓋部と底部で構成され、蓋部分の外観形状は半円筒形もしくは半球を伏せた様な形状を特徴とし、その下端は同一平面で開口している。
蓋部分と底部分が互いに接する部分を平滑に仕上げ、公知の固定手段により圧着して密閉性を高める方法を特徴とする観賞用透明密閉容器。
【請求項２】
当該蓋部分の断面は円の一部や楕円の一部もしくは曲率が緩やかに変化する曲線でも良く、これを特徴とする請求項１記載の観賞用透明密閉容器。
【請求項３】
密閉性を高めるために、当該底部分が当該蓋部分と接する部分を凹面に加工した請求項１または２記載の観賞用透明密閉容器。
【請求項４】
室内装飾品として、テーブル台座と壁掛け具を兼用した部品を当該底部分の裏面に加工した請求項１または２記載の観賞用透明密閉容器。
【考案の詳細な説明】
【技術分野】
【０００１】  本考案は、ガラス・合成樹脂等でできた透明な蓋部分と底部分からなる加工品を、ネジ等の公知の固着技術により縫合し、密閉度が保たれた視認性の良い空間を作り、観賞用展示物を配置する容器に関するものであり、室内装飾品としての需要がある
【背景技術】
【０００２】  従来、プリザーブドやドライフラワー等の観賞用立体物を保管・展示する場合、正面−側面−底面部分を透明ガラス又は合成樹脂等で構成した、額縁状または直方体等の多面体形状で密閉された容器を用いる事が一般的であった。
【特許文献１】実願平９−１０３２
【特許文献２】実願２００５−８７１１
【０００３】  生花に特殊加工を施しているプリザーブドフラワー等の状態を長く保持する為には、直射日光や湿気を避け、外部から適度に遮断されていることが望ましい。そのため従来は複雑な嵌合形状やシール材を使って密閉性を保った容器を用いていた。
【特許文献３】特願２００５−２５２５４２
【考案の開示】
【考案が解決しようとする課題】
【０００４】  従来の側壁−正面−側壁という多面体形状のケースでは、側壁と正面のつなぎ目の部分が目立ち、仮に一体成型でつなぎ目を丸くしたとしても、余分な影が生じてケースの存在が目立ち、観賞する展示物の視野角が制限される。【０００５】  プリザーブドフラワー等をケースに配置する製作過程において、製作者は完成した状態を確認するために何度も蓋部分を閉めたり開けたりする。そのため、できるだけ単純な構造が望ましく、観賞用展示物を配置する容器としても、密閉用のシール材等が表面に見えない構造が美感的に望ましい
又、下絵をケース底部分の裏面に張って作業を進める場合もあり、これが透けて見えるようにしたい。
【課題を解決するための手段】
【０００６】  蓋部分の断面を円形または楕円形の一部（実施例では半円形）にする事で、内部の展示物に対して余分な影が生じなく、ケースの存在が目立たなくなる。【０００７】  密閉性を高めるため、蓋部と底部が互いに接する部分を鏡面のごとく平滑に仕上げ、公知の固定手段により圧着する。底部は透明又は半透明の材料を用い、外周の蓋部分と接する部分を凹面に加工することも有効である。又、この部分に公知のシール材を適量塗布し、表面に目立たせずに、更に密閉性を高める事が可能である。
【考案の効果】
【０００８】  観賞する展示物を従来の額縁形状や多面体形状の容器に配置した場合よりも、蓋部分が緩やかに変化する曲面で被われているので、余分な影がなく作品の色彩が際立つ。そして、左面−正面−右面あるいは上面−正面−下面といった３方見が可能であり、正面、斜め、側面となめらかに眺められ立体感を損なうことがない。
また、外部から適度に遮断されているため、プリザーブドフラワー等のデリケートな立体物を長期間色落ちせずに保存・展示ができる。
台座兼壁掛け具を利用する事により、室内装飾品としてテーブル上に置くことも、壁面に、縦でも横でも吊るすことが可能である。
【実施例】
【０００９】  直径１２０ｍｍの透明なアクリル樹脂円形パイプ（３ｔ）を半縦割りにし、両サイドにアクリル透明板で塞ぎ、その下端が同一平面で開口している蓋部（１２０ｍｍｘ４００ｍｍ）と、これに接する底部（１２０ｍｍｘ４００ｍｍ）をアクリル乳白色の半透明板（５ｔ）で作成した。
底部の外周を凹面に加工した後、互いに接する部分は鏡面のごとく平滑に仕上げ、内部に展示物を配置した後、蓋部と底部の外周より内部に貫通した、公知の固定手段（飾りねじ）により圧着して密閉性を高めている。
【図面の簡単な説明】
【００１０】
【図１】  本考案の観賞用透明密閉容器の一実施例を示す分解斜視図である。
【図２】  本考案容器の一実施例の特徴を現す半円形面を正面図とし、三角法にて平面図（蓋部）と底面図（底部）を示す
【符号の説明】
【００１１】１．蓋部
２．底部
３．台座兼壁掛け具
４．公知の固着手段
【図１】
0003144182.tif 000003
【図２】
0003144182.tif 000004
(57)【要約】      （修正有）【課題】取り付けが簡単かつ軽量でヘルメット内の温度上昇を抑える、ヘルメット用熱反射シートを提供する。【解決手段】ヘルメットの外側表面に直射日光を反射させるシートを粘着剤で貼り付けることにより、ヘルメット内の温度上昇を抑えることができる。また、シートの裏面には粘着剤を塗布してあるためヘルメットに容易に貼り付けることができ、シートが三角の形状になっているため、どのヘルメットにも貼り付けることができる。【選択図】図１
0003144188.tif 000002
【実用新案登録請求の範囲】
【請求項１】
ヘルメットの外側表面に直射日光を反射させるシートを貼り付け、ヘルメット内の温度上昇を抑えることを特徴とするヘルメット用熱反射シート。
【請求項２】
ヘルメットの外側表面にシート裏面の粘着剤で貼り付けることを特徴とする請求項１に記載のヘルメット用熱反射シート。
【請求項３】
ヘルメットの外側表面に添うような形状、例えば三角形や台形、またひし形などを貼り付けることを特徴とする請求項１に記載のヘルメット用熱反射シート。
【考案の詳細な説明】
【技術分野】
【０００１】  本考案はヘルメット内の温度の上昇を抑えるためのヘルメット用熱反射シートに関するものである。
【背景技術】
【０００２】  従来から一般的にヘルメット内の温度上昇を抑えるための手段として、風通しを良くするためにヘルメットに穴が空いたものや、ヘルメット内の着装体などに保冷剤を取り付け冷やすことなどが考えられ、また、その他にも断熱塗料で塗装されたヘルメットなどが提供されていた。
【考案の開示】
【考案が解決しようとする課題】
【０００３】  しかしヘルメットに穴を空けるには構造が複雑になり、着装体に保冷剤を取り付けるには重量が重くなったり、また、断熱塗料を塗装した場合にはコストアップにつながるなどの問題が発生していた、。【０００４】  本考案は夏場の直射日光を反射させるシートを裏面の粘着剤で直接ヘルメットの外側表面に貼り付けヘルメット内の温度上昇を抑えるための考案である。
【課題を解決するための手段】
【０００５】  ヘルメットの外側表面に直射日光を反射させるシートを粘着剤にて貼り付けることができ、ヘルメット内の温度上昇を抑えてくれることを特徴とする。また、シート間の隙間ができないようにするため、三角の形状にしたことを特徴とする。
【考案の効果】
【０００６】  図６は熱反射シートによるヘルメット内の温度上昇値を示すグラフである。この実験条件として図７に示すように通常のヘルメットと熱反射シートを貼り付けたヘルメットを配置しヘルメット上部から約４５ｃｍの位置から投光器にて照らしヘルメット内の温度上昇値を計測したものである。【０００７】  通常のヘルメットと熱反射シートを貼り付けたヘルメットの内部の温度差を比較したところ、約１０℃の温度を下げることができた。
【考案を実施するための最良の形態】
【０００８】  ヘルメットの外側表面に三角形のシートを前後左右に裏面の粘着剤側から貼り付ける、この三角形にすることによりシートとシートの間に隙間が出ないように貼り付けることができ、より温度上昇を抑えることができる。シートの形状は三角形だけでなく台形、ひし形など多種多様の形状にすることにより、どのヘルメットにも添う熱反射シートになる。
【実施例】
【０００９】  図１は従来使用中のヘルメットに熱反射シートを貼り付けた図であり、図２は熱反射シートの形状を示した図である。【００１０】  図３、４、５はヘルメット添うように裁断された熱反射シートの形状を示した図である。
【産業上の利用可能性】
【００１１】  以上のように本考案によれば、熱反射シートをヘルメットに貼り付けるだけで炎天下の作業時でもヘルメット内の温度上昇を抑えることができる。
【図面の簡単な説明】
【００１２】
【図１】本考案の熱反射シートの実施例を示す斜視図である。
【図２】本考案の熱反射シートの形状を示す正面図である。
【図３】別の熱反射シート形状を示す正面図である。
【図４】別の熱反射シート形状を示す正面図である。
【図５】別の熱反射シート形状を示す正面図である。
【図６】本考案の実験結果を示すグラフである。
【図７】本考案の実験説明図である。
【符号の説明】
【００１３】  １  ヘルメット
２  熱反射シート
３  投光器
４  人頭模型
【図１】
0003144188.tif 000003
【図２】
0003144188.tif 000004
【図３】
0003144188.tif 000005
【図４】
0003144188.tif 000006
【図５】
0003144188.tif 000007
【図６】
0003144188.tif 000008
【図７】
0003144188.tif 000009
(57)【要約】      （修正有）【課題】ドクターブレードの突き出し量の変更を容易にし、均一な突き出し量を調整なしに得られるドクターホルダーを提供する。【解決手段】ドクターホルダーにドクターブレードの突き出しに対し垂直な方向の左右均等に複数個の穴を有し、その穴に取り外して移動が可能なピンを挿入し、ドクターブレードをピンに密着させた状態で固定することで、突き出し量の変更が容易になり、均一な突き出し量を調整なしに得られることを特徴とする。【選択図】図１
0003144180.tif 000002
【実用新案登録請求の範囲】
【請求項１】
ドクターブレードの突き出し方向に対し垂直な方向に左右均等の複数個の穴を有し、当該複数個の穴に取り外して移動が可能なピンを挿入し、当該ピンにドクターブレードを密着させてから固定することで一定の突き出し量を得ることができ、当該ピンの挿入する位置を変更することにより、突き出し量の変更を行うことを特徴とするドクターホルダー。
【考案の詳細な説明】
【技術分野】
【０００１】本考案は印刷機、塗工機、製紙機械、固体や液体を除去するクリーニング装置などで使用されるドクター装置におけるドクターブレードの突き出し量の変更が容易に可能で、均一な突き出し量が調整なしに得られるドクターホルダーに関するものである。
【背景技術】
【０００２】従来のドクターホルダーは、一定の幅を有するドクターブレード専用として設置されることが多く、ドクターホルダーからのドクターブレードの突き出し量は一定に保たれるように設計されている。かき取り具合を変更させるためにドクターブレードの突き出し量を変更して使用する場合には、幅寸法の違うドクターブレードを使用するか、ノギス等を使用し、ドクターブレードの刃先からドクターホルダー先端の突き出し量を全長にわたって測定し、突き出し量が均一になるよう調整し、均等なかき取りを得ていた。
【考案の開示】
【考案が解決しようとする課題】
【０００３】しかしながらドクターブレードの突き出し量の調整や変更のたびに幅寸法の異なるドクターブレードを用意する必要があり、また、ノギス等を使用して突き出し量の設定や変更を行う場合、均等なかき取り得るために全長にわたって均一な突き出し量に調整することは極めて困難であり、相当の時間を必要とするという問題点があった。【０００４】本考案は前記の問題点に鑑み提案するもので、ドクターブレードの突き出し量の調整や変更のたびに幅寸法の異なるドクターブレードを必要とせず、ノギス等で測定することなく全長にわたって均一な突き出し量を得ることを目的とする。
【課題を解決するための手段】
【０００５】上述した目的を達成するため、本考案のドクターホルダーは、ドクターブレードの突き出し方向に対し垂直な方向に左右均等の複数個の穴を有し、その穴に簡単に取り外して移動が可能なピンを挿入し、そのピンにドクターブレードを密着させた状態で固定することにより一定の突き出し量を容易に得ることが可能になり、また、ピンを挿入する穴は左右均等に複数個あり、取り外して移動が可能なピンの位置を変更することにより、ドクターブレードの突き出し量の変更が可能になる機能を有することを特徴とする。
【考案の効果】
【０００６】上述のように、本考案のドクターホルダーにはドクターブレードの突き出し方向に対し垂直な方向の左右均等にあけた複数個の穴に取り外して移動が可能なピンが挿入できるため、幅寸法の異なるドクターブレードを必要とせず、特定の幅のドクターブレードのみで、しかもノギス等を使用することなく、全長に亘り均一な突き出し量を得ることができるため、突き出し量の設定や変更が容易に短時間で可能となる。
【考案を実施するための最良の形態】
【０００７】ドクターホルダー本体の両側にドクターブレードの突き出し方向に対し垂直な方向の左右均等に複数個の穴をあけ、ドクターブレードの突き出し量に応じた穴にピンを挿入し、そのピンにドクターブレードを密着させた状態で固定する。【０００８】また、ピンの挿入する位置を変更することにより、ドクターブレードの突き出し量の変更を行う。
【実施例】
【０００９】以下、添付図面に従って一実施例を説明する。ドクターホルダー１の両側にドクターブレードの突き出し方向に対し垂直な方向の左右均等にあけられた複数個の穴のうち、要求するドクターブレードの突き出し量になる穴の位置にピン３を挿入し、そのピンにドクターブレード２を密着させた状態で固定する。【００１０】突き出し量を変更するときは、要求する突き出し量になるようにピンの挿入する位置を図２から図３のように変更し、再度ドクターブレード２を密着させた状態で固定する。
【図面の簡単な説明】
【００１１】
【図１】ドクターホルダーの斜視図である。
【図２】ドクターホルダーの断面図である。
【図３】ドクターホルダーの断面図である。
【符号の説明】
【００１２】１    ドクターホルダー
１ａ  ドクターホルダー上部
１ｂ  ドクターホルダー下部
２    ドクターブレード
３    ピン
【図１】
0003144180.tif 000003
【図２】
0003144180.tif 000004
【図３】
0003144180.tif 000005
(57)【要約】      （修正有）【課題】自由に壁面（落書き面）に落書きすることができるとともに、簡単に落書きを消すことができてその壁面の木目をきれいなまま経年保持できる落書き用プレートを提供する。【解決手段】ペンやクレヨン等の筆記用具によって落書きが可能な木製の平板な壁面を有する落書き用板材であって、前記壁面の表面に水ガラスからなる透明な被膜層を形成する。これによって、木目が目視でき、その壁面に落書きをしても容易にふき取りして落とすことができ、落書きした痕を残すことがなくなる。【選択図】図１
0003144109.tif 000002
【実用新案登録請求の範囲】
【請求項１】
ペンやクレヨン等の筆記用具によって落書きが可能な木製の平板な壁面を有する落書き用プレートであって、前記壁面の表面に水ガラスからなる透明な被膜層を形成したことを特徴とする落書き用プレート。
【請求項２】
支持脚体によって中空に支持されていることを特徴とする請求項１に記載の落書き用プレート。
【考案の詳細な説明】
【技術分野】
【０００１】
本考案はその壁面に自由に落書きすることができるとともに、簡単に落書きを消すことができてその壁面（落書き面）の木目をきれいなまま経年保持できる落書き用プレートに関するものである。
【背景技術】
【０００２】
落書き用プレートを例えばイーゼルのような支持脚体に保持させたり、学校・保育園・幼稚園の壁に掛止させる等し、子供らに水性ペン等の筆記具で自由にこれに落書きをさせるような場合がある。この種の落書き用プレートは一般的にはいわゆるホワイトボードのようなエナメルコーティングされた光沢のある硬質材質から構成されている。しかし、この落書き用プレートを木製プレートで構成したいという要請がある。落書き用プレートを木材で構成することは素材が「木」そのものであって木目をそのまま外部に露出させることとなり非常に暖かな雰囲気を醸し出すことができることから子供らの情操教育上からも好ましい。
【考案の開示】
【考案が解決しようとする課題】
【０００３】
しかし、木材は浸透性があるため、油性水性に関わらず一旦その表面にペン等で落書きすると落書きした後に、それをふき取っても完全にはふき取れり切れずどうしても痕が残ってしまう。そのため、従来ではこの種の落書き用プレートで木材の木目が目視できるような状態で落書き用プレートとして使用したものはなかった。
【課題を解決するための手段】
【０００４】
上記の目的を達成するための第１の手段として、ペンやクレヨン等の筆記用具によって落書きが可能な木製の平板な壁面を有する落書き用板材であって、前記壁面の表面に水ガラスからなる透明な被膜層を形成したことをその要旨とする。
このような構成では、水ガラスからなる透明な被膜層によって壁面が覆われているため、木目が目視でき、その壁面に落書きをしても容易にふき取りして落とすことができ、落書きした痕を残すことがなくなる。
ここに「水ガラス」とは可溶性ケイ酸アルカリ（リチウムを除く）であって、一般的にはナトリウムシリカート又はカリウムシリカートが用いられる。形成方法としては一般に水ガラスを直接塗布あるいは噴霧して溶媒を蒸発させて硬質層を得るようにする。
第２の手段では第１の手段に加え、支持脚体によって支持されているようにしたことをその要旨とする。これによって自由に移動させて使用することができる。
【考案の効果】
【０００５】
上記各請求項の考案では、水ガラスからなる透明な被膜層によって壁面が覆われているため、木目が目視でき、その壁面に落書きをしても容易にふき取りして落とすことができ、落書きした痕を残すことがなくなる。
【考案を実施するための最良の形態】
【０００６】
以下、本考案における落書き用プレートを具体化した一実施例を図面に基づいて説明する。
図１及び図２に示すよう落書き用プレート１はイーゼル２によって所望の高さに保持されている。落書き用プレート１は長方形の合板からなる本体プレート３と、同本体プレート３の周囲（四方）に本体プレート３を補強するために配設された木製のフレーム４から構成されている。図３に示すように、本体プレート３の表面は平板な壁面３ａとされており、この壁面３ａ上に水ガラスの透明な被膜層５が形成されている。本実施例の水ガラスは例えばカリウムシリカートを主成分とする。本体プレート３の壁面３ａの木目は被膜層５を通して目視することができる。
このような構成の落書き用プレートにペンやクレヨンで落書きをしても容易に落書き後にふき取ることができる。例えば油性ペンであっても塗料をシンナーで溶かしてふき取ることができ、水性ペンならば水拭きで簡単にふき取ることができ、その場合でも被膜層５によって本体プレート３の壁面３ａはコーティングされているため、それら塗料が木製の本体プレート３にしみ込むことはない。
【０００７】
なお、この発明は，次のように変更して具体化することも可能である。
・図４に示すように、落書き用プレート７としてその壁面７ａに水ガラスの透明な被膜層８を形成したものを例えば建物（校舎等）の外壁９や廊下の壁等の所定の高さに釘のような固定手段によって掛止させるようにしてもよい。
・壁面３ａを構成する本体プレート３は上記では合板を使用したが、むく板を使用したりパーティクルボードにベニヤ板を貼着して使用したりすることも自由である。また、樹種もスギ、ヒノキ、カラマツ等の入手の容易な針葉樹以外に広葉樹や外材を使用することも自由である。
その他、本発明の趣旨を逸脱しない態様で実施することは自由である。
【図面の簡単な説明】
【０００８】
【図１】本実施例の落書き用プレートをイーゼルにセットした状態の正面図。
【図２】図１の側面図。
【図３】落書き用プレートの構造を説明する部分拡大断面図。
【図４】他の実施の形態の側断面図。
【符号の説明】
【０００９】
１，７…落書き用プレート、３ａ，７ａ…壁面、５，８…被膜層。
【図１】
0003144109.tif 000003
【図２】
0003144109.tif 000004
【図３】
0003144109.tif 000005
【図４】
0003144109.tif 000006
(57)【要約】      （修正有）【課題】血行を良くし、筋肉のこりをほぐして疲れをとる首指圧器を提供する。【解決手段】仰向けに寝て首の指圧器を使用した時、首の３つのポイントを指圧するため、頭の重りを利用して行う。頭の下の端の部分（頭蓋骨の筋肉の付着部）に球状指圧具をあてる。球状指圧具２の部分を中心に当て、球状指圧具１、球状指圧具３は両サイドに当て、３方向から指圧をする。球状指圧具２は止めネジ５を強めに締め、左右に動かないないよう固定する。球状指圧具１は、首の大小で止めネジ４をゆるめ移動させ、各人に合わせて調整する。（球状指圧具３も球状指圧具１と同じ要領で調整）各人のポイントに球状指圧具１、球状指圧具３を移動した後、止めネジを締めて固定する。【選択図】図１
0003144195.tif 000002
【実用新案登録請求の範囲】
【請求項１】
３個の指圧具と該指圧具を一体連結して支える支持具と該支持具と一体連結して固定する台座からなる首指圧器において、該３個の指圧具が各々球状または楕円球等の丸みを有する構造であることを特徴とする首指圧器。
【請求項２】
前記３個の指圧具が、木またはプラスチックおよび紙等の指圧部位に痛みを感じない材質からなることを特徴とする請求項１記載の首指圧器。
【請求項３】
前記支持具が、３個の指圧具の各々の位置を適切な指圧部位に応じて自在に調整できる構造であることを特徴とする請求項１または請求項２記載の首指圧器。
【請求項４】
前記台座が、使用者の背中中央部までの長さを有し、安定な構造であることを特徴とする請求項１または請求項２または請求項３記載の首指圧器。
【考案の詳細な説明】
【技術分野】
【０００１】  本考案は、３つの球状の指圧具で、３つの指圧支点と指圧の位置を指定し、仰向けに寝て、首の指圧器を当てることにより、首全体に指圧効果が得られる首指圧器に関するものである。
【背景技術】
【０００２】  従来の指圧器は、指圧部が２ヶ所で指圧部位に応じて自在に調整できないため指圧ポイントに当たらない。従来の首の指圧器は仰向けに寝た姿勢では台座が不安定なものである。台座を安定させるため、使用者の背中の中央部までの長さにし、背中にしき込むことで、台座を安定させた。
従来の首指圧器では、突起部が２ヶ所で指圧部に当てようとする関係で指圧のツボの位置が人の大きさにより、ツボに正確に当たらないものである。本考案は球状指圧具の位置を移動させることにより、指圧するツボに当たり、指圧効果が得られる事となる。球状の指圧具を３個使用し、移動させることにより、首全体の筋肉の緩和を得ることができる。
【考案の開示】
【考案が解決しようとする課題】
【０００３】  従来の首の指圧器では突起部の位置が一定のため、頭の大きさによりツボに正確に当らないため、指圧の目的を果たせてないものである。又、台座が不安定なものである。
【課題を解決するための手段】
【０００４】  本考案の首指圧器は、首の指圧部が３ヶ所を一度に指圧する事ができ、球状の指圧具を移動させることにより、指圧部が局所に当てる事ができ、首全体に指圧効果が得られる。
又、使用者が簡単に使える指圧器であり、台座は背中の中央部までの長さを有しているため、仰向けに寝て、背中にしき込むと安定するものである。
【考案の効果】
【０００５】  上述のように、本考案の指圧器は、首の指圧部が３ヶ所を一度に指圧する事ができる事と球状の指圧具を移動させることにより、指圧のツボである局所に当てることができ、首のツボを刺激し、首全体に指圧効果が得られる。首の筋肉のこりをほぐし、筋肉の疲れをとり、血行を良くし、頭スッキリ、目はパッチリ、気分爽快になる効果が得られる。
【考案を実施するための最良の形態】
【０００６】  以下、本考案の実施の形態を図面にして参照し、説明する。
図１は本発明の実施形態を示す首指圧器の正面図である。
この首の指圧器は、図２のように指圧器の３つの球状指圧具の部分が仰向けに寝て、首の上部、頭蓋骨の下部のツボに当てて首を指圧する。
【実施例】
【０００７】  本実施例の首の指圧器は、図１の指圧器に首を当て、球状指圧具２を中心にして、４の止めネジをゆるめ、矢印の方向に調整し、止めネジを締め固定する。又、６の止めネジをゆるめ、矢印の方向に調整し、止めネジを締めて３を固定し、指圧を実施する。【０００８】  この首の指圧器は、図３の７にあたる。台座はやや長めに大きくし、背中の部分をしき込んで安定感を維持する。指圧の部分を球状にして、どの部分が当たってもソフトな感じで指圧効果をもとめた。指圧の部分（球状指圧具１２３）が痛く感じる人は、タオルを掛けてもらうことにより、強弱を調整出来る。【０００９】  図３のように１，２，３の球状指圧具を首のツボの位置に合わせるため、４，５，６の止めネジをしめたり、ゆるめたりして球状指圧具を調整し指圧する位置を確保し指圧する。【００１０】  図２のように指圧の位置を正確にとらえ、ツボを指圧出来るようにする。【００１１】  図３のように球状指圧具１と球状指圧具３を内側に倒すと両サイドからの指圧が正確に出来る。首の小さい人で両サイドの球状指圧具が当たりにくい人は、頭を左右に動かすと効果が得られる。
【図面の簡単な説明】
【００１２】
【図１】  本発明の実施形態を示す首の指圧器の正面から見た外観写真
【図２】  本発明の首指圧器の横から見た横面写真（モデル形式）
【図３】  本発明の首指圧器の上から見た上面写真
【図４】  本発明の首指圧具と指圧具を止めてあるネジの写真
【図５】  本発明の首指圧具を固定する台座の金具写真
【符号の説明】
【００１３】  １  首指圧器本体の台座（図１の７と図３の７）
２  指圧をする球状指圧具の部分（図３の１，２，３）
３  球状指圧具を止めてある金具の部分と指圧具を固定する穴の部分（図５の１，２，３）
４  球状指圧具を止めてあるネジの部分（図３の４，５，６と図４の２，３）
５  球状指圧具を固定する金具を台座に固定するネジ（図５の４，５，６，７）
【図１】
0003144195.tif 000003
【図２】
0003144195.tif 000004
【図３】
0003144195.tif 000005
【図４】
0003144195.tif 000006
【図５】
0003144195.tif 000007
(57)【要約】      （修正有）【課題】建築壁等の吹付塗装のように、高い場所や風が吹く場所でも容易にテープを使うことができる現場塗装用携帯テープカッター具を提供する。【解決手段】ホルダー基体１の表側６に、テープ芯台を設け、このテープ芯台の上にホルダー芯を設ける。またホルダー基体１の先端部には切断刃４を固定したカッター台５を設ける。そしてホルダー芯にテープ押え板７を着脱可能に挿入して設ける。同じくホルダー芯の頭頂部に被せてテープ押え板７の上から押付けてワンタッチで固定する、着脱可能なテープホールド体８を設ける。最後にホールド基体１の裏側に装着ホルダーを設けたことを特徴とする。【選択図】図１
0003144200.tif 000002
【実用新案登録請求の範囲】
【請求項１】
ホルダー基体（１）の表側（６）に、テープ芯台（２）を設け、このテープ芯台の上にホルダー芯（３）を設ける、またホルダー基体（１）の先端部には切断刃（４）を固定したカッター台（５）を設け、そしてホルダー芯（３）にテープ押え板（７）を着脱可能に挿入して設け、同じくホルダー芯（３）の頭頂部に被せてテープ押え板（７）の上から押付けてワンタッチで固定する、着脱可能なテープホールド体（８）を設ける、最後にホールド基体（１）の裏側（９）に装着ホルダー（１０）を設けた特徴を成す、現場塗装用携帯テープカッター具である。
【考案の詳細な説明】
【技術分野】
【０００１】  本考案は、建築物の壁を吹付塗装する際に、窓等をビニールシート類でシールする。そのシート類を壁にテープを使って止めているが、その技術改良に関するものである。
【背景技術】
【０００２】  建築壁の吹付塗装の際には、塗装してはいけない部分は、ビニールシート類でシールする。またほとんど高い場所（足場などに上っての作業）で行われる。
【考案の開示】
【考案が解決しようとする課題】
【０００３】  この為、巻状態の粘着テープ（１１）を、解いてあらかじめ適当な長さに切って、帯状に何本にも、そろえて並べて準備しておく、そして高い位置より降りて来て、この粘着テープ（１１）を取る必要がある。また風の強い日には、押さえているシートも粘着テープ（１１）も風の勢いで暴れるので、それは大変な作業で苦慮していた。
また、従来このような現場作業に必要なものがなかった。
本考案は、このような問題点なりを解消する為になされたものである。
【課題を解決するための手段】
【０００４】  まず、ホルダー基体（１）の表側（６）表面に、粘着テープ（１１）のドーナツ部をセットするための、テープ芯台（２）を設ける。さらにテープ芯台（２）の表面に直結固定させて、中心合わせでタップを施した、ホルダー芯（３）を設ける。つぎにこのホルダー芯（３）に合わせて、ドーナツ板状のテープ押え板（７）を着脱可能に挿入して装着する。またテープ押え板（７）を上から押えて固定するために、着脱可能なテープホールド体（８）を、ホルダー芯（３）の頭頂部に被せて、ネジ込んで取付け設ける。そしてホルダー基体（１）の先端部（１２）に、切断刃（４）を装着したカッター台（５）を設ける。最後に、ホールド基体（１）の裏側（９）の適当なる位置に、作業中の腰に装着するために、装着ホルダー（１０）を設ける。
本考案は以上のような構成による、現場塗装用携帯テープカッター具である。
【考案の効果】
【０００５】  １．高い足場での作業でも、作業者の体（腰等）に装着されてるので、貼付ける粘着テープは手元で簡単に用意できる。
２．両手が解放されているので、風があっても容易に、マスキング作業がはかどる。
３．構造構成がシンプルであるから、低コストで製作出来る。
【考案を実施するための最良の形態】
【０００６】  まず木製加工またはインジェクション成型等で、ホルダー基体（１）を形成する。この該基体の表側（６）にテープ芯台（２）を設ける。このテープ芯台（２）は粘着テープ（１１）を、テープのドーナツ部分でセットするように形成されている。つぎに該芯台の上に、中心合わせでタップを施したホルダー芯（３）を設ける。また該基体の先端部（１２）に、カッター台（５）を設ける。そしてホルダー基体（１）の表側（６）にテープ芯台（２）とホルダー芯（３）およびカッター台（５）が設けられるが、これらは一体に成型等で形成されることがベストである。さらにカッター台（５）の先端部の２ケ所に、図のごとく切断刃（４）を装着して設ける。これによりテープ芯台（２）にセットされている、粘着テープ（１１）より引き出されたテープを、容易にカットできる。つぎにホルダー芯（３）に、脱着可能にテープ押え板（７）を装填して、さらにホルダー芯（３）の頭頂部より被せて、ネジ込んで脱着可能に装着し固定した、テープホールド体（８）を設ける。これによりテープ芯台（２）にセットした、粘着テープ（１１）はテープ押え板（７）とテープホールド体（８）に適度な力で、若干の隙間でもって、ホールドされている。最後に、作業中に於いても、手元で容易に粘着テープ（１１）が取り出して、扱えるように、作業者の腰ベルト等に取り付けるために、装着ホルダー（１０）をホルダー基体（１）の裏側（９）の適当なる位置に固定して設ける。
本考案は以上のような構成であり、これを使用実施するときには、【０００７】  まずホルダー芯（３）からテープホールド体（８）を捩って外し、次にテープ押え板（７）を外す。そしてテープ芯台（２）に、粘着テープ（１１）を装着し、該テープを引延ばして先端部（１２）のカッター台（５）に、該テープの端を貼り付けておく。
そして装着ホルダー（１０）を利用して、ホルダー基体（１）全体を、腰のベルト等に固定する。この状態で現場の足場に上がり、窓等のメクラ貼り作業に於いて、腰より必要な長さだけ、該テープを取出せば良い。ここで切断刃（４）が２箇所装填されているのは、右利きは右腰に、左利きの作業員は左腰に装着するので、どちらでも該テープを切り取って使い勝手が良いように設けたものである。
【図面の簡単な説明】
【０００８】
【図１】  本考案の粘着テープを装着した平面および斜視図である。
【図２】  本考案の裏側の斜視図である。
【図３】  本考案の断面図である。
【符号の説明】
【０００９】  １  ホルダー基体
２  テープ芯台
３  ホルダー芯
４  切断刃
５  カッター台
６  表側
７  テープ押え板
８  テープホールド体
９  裏側
１０  装着ホルダー
１１  粘着テープ
１２  先端部
【図１】
0003144200.tif 000003
【図２】
0003144200.tif 000004
【図３】
0003144200.tif 000005
(57)【要約】      （修正有）【課題】蛍光性プラスチック又は鏡面反射性のある金属等の円形又は多角形の形状をした細長いパイプに縦方向のスリットを入れて、自転車又は自動二輪車等のスポークに設置して夜間に自転車又は自動二輪車が路上を走行しているときに、他の自動車、自動二輪車及び自転車を運転しているドライバーに、自転車又は自動二輪車の存在を認識させて衝突等による事故を防止する。【解決手段】蛍光性プラスチック又はステンレス等金属又は鏡面処理をした耐水性クラフト紙等の一部品で構成されている細長いパイプである。この細長いパイプにスリットを入れて、自転車又は自動二輪車のスポークに設置する。【選択図】図３
0003144198.tif 000002
【実用新案登録請求の範囲】
【請求項１】
蛍光性プラスチックの円形又は多角形の形状をした細長いパイプに縦方向のスリットを入れて、自転車又は自動二輪車等のスポークに設置して夜間に自転車又は自動二輪車が路上を走行しているときに、他の自動車、自動二輪車及び自転車を運転しているドライバーに、自転車又は自動二輪車の存在を認識させて衝突等による事故を防止する器具。
【請求項２】
鏡面反射性のあるステンレス等の金属又は鏡面処理をした耐水性クラフト紙等で製作された、円形又は多角形の形状をした細長いパイプに縦方向のスリットを入れて、自転車又は自動二輪車等のスポークに設置して夜間に自転車又は自動二輪車が路上を走行しているときに、他の自動車、自動二輪車及び自転車を運転しているドライバーに、自転車又は自動二輪車の存在を認識させて衝突等による事故を防止する器具。
【考案の詳細な説明】
【技術分野】
【０００１】本考案は、蛍光性プラスチック、ステンレス等の金属又は鏡面処理をした耐水性クラフト紙等で製作された細長いパイプに縦方向にスリットを入れて、自転車又は自動二輪車に設置して夜間に自転車又は自動二輪車が路上を走行しているときに、他の自動車、自動二輪車及び自転車を運転しているドライバーに、自転車又は自動二輪車の存在を認識させて衝突等による事故を防止することができるものである。
【技術背景】
【０００２】従来は、自転車のスポークにプラスチック製反射板、乾電池を使用してＬＥＤを点灯する小型ランプ等が事故防止用器具として使われている。
【０００３】プラスチック製反射板は取り付けに時間がかかり面倒である、又取り付けた外観もあまりよくない。
【０００４】ＬＥＤを点灯する小型ランプは電池を必要とし、価格も高い。
【考案の開示】
【考案が解決しようとする課題】
【０００５】解決しようとする問題点は、従来の事故防止器具の持つ欠点を解消するためのもので、器具取り付けの面倒なこと、外観の良くないこと、電池を必要とすること、価格の高いことである。
【課題を解決するための手段】
【０００６】本考案は、細長いパイプに縦方向のスリットを入れて、自転車又は自動二輪車等のスポークに簡単に設置でき、自転車又は自動二輪車等が夜間に、路上を走行しているときに、蛍光性プラスチックのものは他の自動車、自動二輪車及び自転車の前照灯により明るく光り、ステンレス等の金属パイプのものは他の自動車、自動二輪車及び自転車の前照灯により反射して光り、他の自動車、自動二輪車及び自転車を運転しているドライバーに、自転車又は自動二輪車の存在を認識させて衝突等による事故を防止できるようにした、事故防止器具である。【０００７】更に、本考案の事故防止器具の細長いパイプを自転車及び自動二輪車に設置するときスポークにパイプのスリットの部分を押し付けてスポークを押し込めば、簡単に設置できる事故防止器具である。
【考案の効果】
【０００８】以上のように構成される本考案は極めて低コストであるため、経済的な負担が少なく、取り付けが簡単なため子供や女性や不器用な人でも苦労せずに取り付けができます。
更に、本考案の事故防止器具を設置した自転車又は自動二輪車は他の自動車、自動二輪車及び自転車のドライバーから瞬時に認識されて事故を防止することができる。
【考案を実施するための最良の形態】
【０００９】本考案の事故防止器具の細長いパイプは自転車又は自動二輪車のスポークの長さに合わせて設置するのが良く、長さが長いほど他の自動車、自動二輪車及び自転車のドライバーから認識されやすくなる。
【実施例１】
【００１０】本考案の実施例を図面に基ずいて説明する。
図１は本考案の自転車又は自動二輪車用事故防止器具の細長いパイプに縦方向のスリットを入れた形状を示す図である。【００１１】図２は多角形の形状を示す図である。【００１２】図３は本考案の事故防止器具を自転車のスポークに設置した状態を示す図である。
円筒形パイプ１を自転車のスポーク３に設置して取り付けが完了します。【００１３】事故防止器具の材質は蛍光性プラスチック、ステンレス等の金属及び鏡面処理をした耐水性クラフト紙等で製作されている。
【産業上の利用可能性】
【００１４】本考案の事故防止器具は電気を流す裸電線等の人間が触ると危険なものに被せて事故を防止することもできます。
【図面の簡単な説明】
【００１５】
【図１】本実施例の事故防止器具の形状を示す図である。
【図２】本実施例の事故防止器具の多角形の形状を示す図である。
【図３】本実施例の事故防止器具を自転車のスポークに設置した状態を示す図である。
【符号の説明】
【００１６】１．円筒形パイプ
２．多角形パイプ
３．自転車のスポーク
４．自転車のタイヤ
【図１】
0003144198.tif 000003
【図２】
0003144198.tif 000004
【図３】
0003144198.tif 000005
(57)【要約】      （修正有）【課題】山岳の急傾斜地や段差が激しい海岸等での三脚の不安定さや、カメラ操作の不自由を解消した三脚付け足し器を提供する。【解決手段】三脚付け足し器は、伸縮可能な器具の一端に脚受け部４を設け、これにストッパー金具２及びストッパーネジ３を付ける。別途、三脚の脚部に付着するゴムパッキン１を作成し、三脚の石突上の脚にはめ込む。このようにした脚部を脚受け部４に挿入、ストッパーで固定することにより脚を延伸することができる。【選択図】図１
0003144197.tif 000002
【実用新案登録請求の範囲】
【請求項１】
映像用三脚の脚部に接続固定し、脚の延伸を図る器具
【考案の詳細な説明】
【技術分野】
【０００１】  本考案は、映像用の三脚に関するものである。
【背景技術】
【０００２】  映像用の三脚は三本の脚の長さが収納及び伸高時も均等であり、スタジオや平坦地ではカメラ等を安定保持させるには不自由無く使用されている。
【考案の開示】
【考案が解決しようとする課題】
【０００３】  しかし、急傾斜地で三脚を使用する場合は、低い地形（谷側）に置く脚を長く伸ばし山側の脚は縮めるが、この使い方では三本の脚を結ぶ底面積が狭くなり安定性が劣る。更に山岳や河川等の厳しい段差がある場所では、谷側の脚が地面に届かない場合がある。
また、谷側の脚が低くなるとカメラ位置も低くなり、レンズ前の草木等が障害となり撮影できないことが多くある。いずれの場合も大型の三脚で対処せざるを得ず、重く嵩張る三脚を登山や足場の悪い河川や海岸等に携行するは容易でなかった。
【課題を解決するための手段】
【０００４】  そこで本案は、三脚の脚部に更に脚を取り付ける（図１）ことにより、コンパクトな三脚でも対処できるようにする。
【考案の効果】
【０００５】  本考案は、このような構造であるから、傾斜地や段差が激しい場所では谷側の脚に着装する（図３）ことにより、三脚に取り付けたカメラを高い位置で安定させ設置することが出来る。また、脚受け部（４）にカメラ台を装着すると一脚として活用できる。
【考案を実施するための最良の形態】
【０００６】  本考案に係る、三脚付け足し器を図１に示すように、伸縮可能な器具の一端に脚受け部（４）を設け、これにストッパー金具（２）及びストッパーネジ（３）を付ける。
別途、三脚の脚部（８）に付着するゴムパッキン（１）を作成し、三脚の石突（９）上の脚にはめ込む。このようにした脚部（８）を脚受け部（４）に挿入、ストッパーで固定することにより脚を延伸することができ、課題を解消することができる。
【図面の簡単な説明】
【０００７】
【図１】  本考案の斜視図である
【図２】  本考案器具の脚受け部（４）断面図である
【図３】  本考案の器具を三脚に固定し、傾斜地で使用中の斜視図である
【符号の説明】
【０００８】  １        ゴムパッキン
２        ストッパー金具
３        ストッパーネジ
４        脚受け部
５        付足し一段目
６        脚ロックナット
７        付足し石突
８        三脚の脚
９        三脚の石突
【図１】
0003144197.tif 000003
【図２】
0003144197.tif 000004
【図３】
0003144197.tif 000005
(57)【要約】      （修正有）【課題】身障者の歩行範囲を少しでも広げ玄関から車までの移動に人の手助けを不要にする。【解決手段】松葉杖の先端にスパイクピン３を取り付けることにより凍結路、雪道で滑りにくくし又スパイクピン３が引き込めることにより屋内では床にスパイクピン３による床の傷付きを防止できることである。（外出時はスパイク付き長靴との並用でより安全性が向上する。）【選択図】図３
0003141767.tif 000002
【実用新案登録請求の範囲】
【請求項１】
松葉杖の先端に雪道、凍結路でも滑らないように上下移動できるスパイクピンを設けたノンスリップ松葉杖。
【請求項２】
松葉杖の先端に取り付けたスパイクピンを上下の位置にワンタッチで固定できるロックノブを設けたノンスリップ松葉杖。
【考案の詳細な説明】
【技術分野】
【０００１】
本考案は医療機具の分野に関するもので松葉杖は一般に家庭内や一般道路で使用されるものになっておりますが本考案品は凍結路、雪道でも滑りにくくした医療機具の分野に属します。
【背景技術】
【０００２】
従来の松葉杖は家庭内や一般道路での使用とされており凍結路や雪道での使用は家庭や医者から止められていた。又凍結路では玄関から車までの人の手助けを要していた。
【特許文献１】特開２００８−０１８１８３号公報
【特許文献２】実開平５−３９５３９号公報
【考案の開示】
【考案が解決しようとする課題】
【０００３】
従来の松葉杖は凍結路や雪道で滑りやすいので凍結路や雪道でも滑りにくい松葉杖を開発すること。
【０００４】
屋内屋外でも使用できる松葉杖を開発すること。
【課題を解決するための手段】
【０００５】
本考案のノンスリップ松葉杖は従来の松葉杖の先端に取り付けたスパイクピンを取り付けることにより凍結路、雪道でも滑りにくくしたこと。
【０００６】
本考案のノンスリップ松葉杖は従来の松葉杖の先端に取り付けたスパイクピンをワンタッチで出し入れ可能とし家庭内でも床に傷つけることなく使用できることとした。
【考案の効果】
【０００７】
本考案のノンスリップ松葉杖は凍結路や雪道への家族や医者から止められていた身障者に外出の希望を与え従来より安全に凍結路、雪道での歩行が可能となる。（スパイク付き長靴等の並用でより安全となる）又玄関から車まで人の手助けを要せず１人歩行が可能となる。
【０００８】
本考案のノンスリップ松葉杖は松葉杖の先端に取り付けたスパイクピンを出し入れ式としたため家庭内ではスパイクピンを引き込めることにより床にピンによる傷つきを防止できる。
【考案を実施するための最良の形態】
【０００９】
凍結路、雪道等滑りやすい屋外へ出る時は松葉杖の先端に取り付けたスパイクピンを出し屋内ではスパイクピンを引き込めて使用する。
【実施例】
【００１０】
以下添付図面に従って一実施例を説明する。凍結路で本考案のノンスリップ松葉杖を使用する時は２のロックノブを弛めスパイクピン３を図２のL字形溝の下端右へ寄せロックノブ２でスパイクピン３を固定する。又屋内で本考案のノンスリップ松葉杖を使用するときはロックノブ2を弛めスパイクピン３を図２のL字形溝の上端でロックノブ２でスパイクピン３を固定する。
【図面の簡単な説明】
【００１１】
【図１】従来の松葉杖
【図２】本考案の図１A部の拡大図（左側スパイクピンを出した状態。右側スパイクピンを収納した状態。）
【図３】本考案のノンスリップ松葉杖の断面図（左側スパイクピンを出した状態。右側スパイクピンを収納した状態。）
【符号の説明】
【００１２】
１  松葉杖下部のパイプ
２  ロックノブ
３  スパイクピン
４  シートゴム
５  プレートワッシャ
【図１】
0003141767.tif 000003
【図２】
0003141767.tif 000004
【図３】
0003141767.tif 000005